(57)【要約】【課題】コピープロテクト情報が挿入されていない映画の画像信号を記録した記録媒体に対しても、コピープロテクトを実現する。【解決手段】映画画像判定部３は、カメラ信号処理部２からの画像信号の輝度レベルの変化の有無に基づいて、輝度レベルが変化する部分は画像１０１と判定し、輝度レベルが変化しない部分は撮影対象範囲１００内の画像１０１以外の部分であると判定する。次に、映画画像判定部３は、画像１０１とそれ以外の撮影対象範囲１００内の部分の境界部分が、映画の画像の輪郭を示す長方形に近似されているときは、その長方形の縦横比が映画の画像の縦横比と一致するかどうかを判定することで画像１０１が映画の画像であるか否かを判定する。著作権保護有りエンコード部６は、映画の画像に対して著作権保護のための信号処理を施す。【選択図】図１
2010206587.tif 000002
【特許請求の範囲】
【請求項１】
撮像手段と、
前記撮像手段により撮像して得られた画像信号に基づいて、撮像画像に映画の画像が含まれているか否かを判定する映画画像判定手段と、
前記映画画像判定手段により映画の画像が含まれていると判定された、前記画像信号に対して、他の記録媒体への複写を禁止する著作権保護規格に準拠したエンコード処理を行うエンコード手段と、
前記エンコード手段によりエンコード処理された前記映画の画像が含まれていると判定された画像信号を記録媒体に記録する記録手段と
を有することを特徴とする撮像装置。
【請求項２】
前記映画画像判定手段は、
前記撮像手段から入力される画像信号のフレームを映画フィルムの画像と同じフレーム単位に変換する変換手段と、
前記変換手段で変換した画像信号の１フレーム毎に１フレーム前後の輝度レベルを比較することで、前記撮像手段から入力される画像信号の撮影対象範囲内に輝度レベルの変化のある領域と変化の無い領域との境界を抽出する境界抽出手段と、
抽出された前記境界の形状が長方形に近似し、かつ、前記境界の形状の縦横比が、映画画像を示す特定の比率又はその比率に近似した値であるとき、前記画像信号に映画の画像が含まれているであると判定する形状判定手段と
を有することを特徴とする請求項１記載の撮像装置。
【請求項３】
前記記録媒体からエンコードされた画像信号を再生してデコードする再生手段と、
前記再生手段により再生される前記画像信号が、前記著作権保護規格に準拠したエンコード処理された信号であることを示す識別子が前記記録媒体の再生信号に含まれているか否かを検出する著作権保護有無検出手段と、
前記著作権保護有無検出手段により前記識別子が前記再生信号に含まれていることを検出したときは、前記再生手段から出力されるデコードされた画像信号の外部への出力を禁止する出力禁止手段と
を更に有することを特徴とする請求項１又は２記載の撮像装置。
【発明の詳細な説明】
【技術分野】
【０００１】
本発明は撮像装置に係り、特に撮像した画像信号を、ハードディスク、不揮発性メモリ、光ディスクなどの記録媒体にデジタル記録方式で記録する機能を備えた撮像装置に関する。
【背景技術】
【０００２】
従来、画面に映し出された音声や画像（第一次ソフト）をそのままビデオカメラで撮影するような複製行為を禁止し、あるいはまた、そのような複製行為により作成された第二次ソフトを再生・利用することを禁止するコピープロテクション方式として、予め、前記映像情報や音声情報の各信号中にウォーターマークと呼ばれるコピープロテクト信号を挿入記録しておく方法が提案されている（例えば、特許文献１参照）。
【０００３】
この特許文献１記載のコピープロテクション方式では、コピープロテクト信号が人間の知覚閾値以下の期間とサイクルで映像信号に挿入して記録媒体に記録されているので、受像機の画面に映し出された映像は、人間の目ではコピープロテクト信号を視認することができず正常に再生映像を鑑賞することができる。
【０００４】
一方、受像機などで表示されている、コピープロテクト信号が挿入された映像をビデオカメラで直接撮像して記録媒体に記録しようとした場合は、ビデオカメラに設けられたコピープロテクト信号検出装置によりコピープロテクト信号を検出して自動的に撮影及び録画を強制的に中止することでコピープロテクトを実現できる。また、ビデオカメラにコピープロテクト信号検出装置が設けられていなくても、再生装置にコピープロテクト信号検出装置が設けられているので、記録媒体から再生された映像信号からコピープロテクト信号が検出され、その検出結果に基づき再生を強制的に中止させることができる。
【０００５】
また、他のコピープロテクション方式として、米国のマクロビジョン社が開発したマクロビジョン方式も知られている。このマクロビジョン方式は、家庭用ＶＴＲなどに用いられており、映像信号の垂直ブランキング期間にマクロビジョン信号と呼ぶパルス信号を挿入したものである。
【０００６】
このマクロビジョン方式によれば、マクロビジョン信号を挿入した映像信号が記録された記録済みのビデオテープをＶＴＲで再生してテレビジョン受像機で表示させた場合、テレビジョン受像機では自動利得制御（ＡＧＣ）動作を行わないので、マクロビジョン信号に関係なく正常に画像を表示できる。
【０００７】
これに対し、上記のマクロビジョン信号を挿入した映像信号が記録された記録済みのビデオテープをＶＴＲで複写記録した場合、ＶＴＲ内に設けられているＡＧＣ回路がマクロビジョン信号で誤動作して記録を行う。その結果、その複写記録したビデオテープを再生してテレビジョン受像機で表示させると、テレビジョン画面の再生画像が、明るさのふらつきなどの画面劣化を引き起こすため、コピープロテクトを実現できる。
【先行技術文献】
【特許文献】
【０００８】
【特許文献１】特開２００１−２１１４３３号公報
【発明の概要】
【発明が解決しようとする課題】
【０００９】
ところで、映像情報の著作物、特に映画を例えば劇場内で上映した場合に、その映画を撮像装置で盗撮し、盗撮した映画を記録媒体に複製して映像の著作権者に無断で海賊版映像ソフトウェアとして流布されることを防止することも必要とされている。そこで、上記の複製行為を防止するために、特許文献１記載のコピープロテクション方式やマクロビジョン方式を映画フィルムに適用することが考えられる。
【００１０】
しかしながら、特許文献１記載のコピープロテクション方式やマクロビジョン方式によりコピープロテクトを実現するためには、コピープロテクト信号やマクロビジョン信号を所定期間に挿入した映像信号を予め記録媒体に記録しておく必要があるため、現在、市場に普及しているプロテクション処理を施していない既存の映画フィルム等には上記の方式を適用することができない。
【００１１】
本発明は、上記の点に鑑みなされたもので、撮像信号の撮影対象範囲内に映画の画像が存在するか否かを自動判別し、映画の画像が存在すると判断した場合は撮像信号に対して著作権保護のための信号処理を行って記録媒体に記録することにより、コピープロテクト情報が挿入されていない映画の画像信号を記録した記録媒体に対しても、コピープロテクトを実現し得る撮像装置を提供することを目的とする。
【課題を解決するための手段】
【００１２】
本発明は上記の目的を達成するため、撮像手段と、撮像手段により撮像して得られた画像信号に基づいて、撮像画像に映画の画像が含まれているか否かを判定する映画画像判定手段と、映画画像判定手段により映画の画像が含まれていると判定された、画像信号に対して、他の記録媒体への複写を禁止する著作権保護規格に準拠したエンコード処理を行うエンコード手段と、エンコード手段によりエンコード処理された映画の画像が含まれていると判定された画像信号を記録媒体に記録する記録手段とを有することを特徴とする。
【００１３】
ここで、上記の映画画像判定手段は、
撮像手段から入力される画像信号のフレームを映画フィルムの画像と同じフレーム単位に変換する変換手段と、変換手段で変換した画像信号の１フレーム毎に１フレーム前後の輝度レベルを比較することで、撮像手段から入力される画像信号の撮影対象範囲内に輝度レベルの変化のある領域と変化の無い領域との境界を抽出する境界抽出手段と、抽出された境界の形状が長方形に近似し、かつ、境界の形状の縦横比が、映画画像を示す特定の比率又はその比率に近似した値であるとき、画像信号に映画の画像が含まれているであると判定する形状判定手段とを有する構成であってよい。
【００１４】
また、上記の目的を達成するため、本発明は記録媒体からエンコードされた画像信号を再生してデコードする再生手段と、再生手段により再生される画像信号が、著作権保護規格に準拠したエンコード処理された信号であることを示す識別子が記録媒体の再生信号に含まれているか否かを検出する著作権保護有無検出手段と、著作権保護有無検出手段により識別子が再生信号に含まれていることを検出したときは、再生手段から出力されるデコードされた画像信号の外部への出力を禁止する出力禁止手段とを有することを特徴とする。
【発明の効果】
【００１５】
本発明によれば、撮像信号の撮影対象範囲内に映画の画像が存在するか否かを自動判別し、映画の画像が存在すると判断した場合は撮像画像信号に対して著作権保護のための信号処理を行って記録媒体に記録することにより、コピープロテクト情報が挿入されていない映画の画像信号を記録した記録媒体に対しても、コピープロテクトを実現することができ、より多くの不法複製行為を防ぐことができる。
【図面の簡単な説明】
【００１６】
【図１】本発明の撮像装置の一実施の形態の構成図である。
【図２】本発明の判定対象の映画の画像サイズの縦横比を示す図である。
【図３】図１中の映画画像判定部における映画画像判定アルゴリズムの説明用フローチャートである。
【発明を実施するための形態】
【００１７】
次に、本発明の実施の形態について図面と共に説明する。
【００１８】
図１は、本発明になる撮像装置の一実施の形態のブロック図を示す。撮像装置１は、カメラ信号処理部２、映画画像判定部３、切り替えスイッチ４、著作権保護無しエンコード部５、著作権保護有りエンコード部６、切り替えスイッチ７及び記録制御部８からなる記録媒体９の記録系を有する。また、撮像装置１は、信号デコード再生部１０、著作権保護有無検出部１１、信号出力部１２、信号出力可否選択スイッチ１３及び外部インターフェース１４からなる記録媒体９の再生系と、カメラ部１５とを有する。この撮像装置１は、カメラ部１５で撮像した画像信号を記録媒体９にデジタル記録方式で記録する機能を備えた撮像装置である。
【００１９】
カメラ部１５は、被写体からの入射光を光電変換し、被写体の画像信号を出力する公知の構成である。カメラ信号処理部２は、カメラ部１５から出力された画像信号を取り込み、所定の信号処理を施す。映画画像判定部３は、本実施の形態の要部の構成部で、入力された画像信号の輝度を示す情報に基づいて、後述するアルゴリズムにより一画面内の画像信号に映画の画像が含まれているか否か、換言すると現在撮像している画像が映画フィルムの画像であるか否かを判定する。
【００２０】
切り替えスイッチ４は、切替端子Ａ及びＢと共通端子Ｃとを有し、映画画像判定部３からの判定結果に基づいて、カメラ信号処理部２から出力された画像信号を著作権保護無しエンコード部５又は著作権保護有りエンコード部６にそれぞれ供給する。切り替えスイッチ７は、切替端子Ａ及びＢと共通端子Ｃとを有し、映画画像判定部３からの判定結果に基づいて、著作権保護無しエンコード部５又は著作権保護有りエンコード部６から出力されたエンコード後の画像信号を選択して記録制御部８に供給する。
【００２１】
著作権保護無しエンコード部５及び著作権保護有りエンコード部６は、それぞれ入力された画像信号に対して記録媒体９に記録再生するための所定の信号形態に変換するエンコード処理を行う。ただし、著作権保護有りエンコード部６は、入力画像信号に対して更に例えば公知の著作権保護規格であるＣＰＲＭ（Content Protection for Recordable Media）規格に従ったエンコード処理を行う。
【００２２】
記録制御部８は入力された画像信号を記録媒体９に記録するための所定の処理を行う。記録媒体９は、本実施の形態ではＤＶＤ(Digital Versatile Disc)であるが、著作権保護有りエンコード部６の構成によっては、記録媒体９はハードディスク、不揮発性メモリ、あるいは磁気テープなども使用可能である。
【００２３】
信号デコード再生部１０は、記録媒体９から読み取った信号を再生して画像信号を得る。著作権保護有無検出部１１は、記録媒体９から読み取った信号中の所定の識別子の有無に基づいて、読み取った信号が著作権保護有りのエンコードが行われた画像信号であるか否かを判定する。信号出力可否選択スイッチ１３は、著作権保護有無検出部１１からの判定結果に基づいて、端子Ａ又はＢに接続され、信号出力部１２から出力された再生画像信号を外部インターフェース１４へ出力するか、又は何も出力しないようにする。
【００２４】
次に、本実施の形態の動作について説明する。
【００２５】
映画館等の室内で映画が上映される場合、室内が暗い状態で画像１０１がプロジェクタ等によって壁やスクリーンに投影される。撮像装置１は、この壁やスクリーンを含む撮影対象範囲１００をカメラ部１５で撮影するものとする。撮影対象範囲１００は壁やスクリーンを全て含んでいる必要はなく、画像１０１が含まれていればよい。カメラ部１５は、撮影対象範囲１００を撮影対象範囲１００内に存在する画像１０１を含めて撮影し、それにより得た画像信号をカメラ信号処理部２に供給する。カメラ信号処理部２は、カメラ部１５からの画像信号を取り込み、所定の信号処理を施して映画画像判定部３に供給する。
【００２６】
映画画像判定部３は、撮影対象範囲１００の画像信号の輝度を示す信号を手掛かりに一画面内の画像信号の内容判定を以下のように開始する。撮影対象範囲１００の一画面は映画館内で上映中に撮影されていると考えると、撮影対象範囲１００の画像１０１以外の部分は一定の明るさ以下の明度で変化しないと考えられる。これに対し、画像１０１の画像信号は、映画の場面によって輝度が低い信号から高い信号まで変化すると考えられる。
【００２７】
そこで、映画画像判定部３は、カメラ信号処理部２から供給された画像信号を、まず映画の一画面の更新単位である２４フレーム/秒の単位に変換し、変換後の１フレーム毎に前後の画像信号の輝度レベルと比較し、それを一定の時間続けることによって輝度レベルの変化の有無を検出し、輝度レベルが変化する部分は画像１０１と判定し、輝度レベルが変化しない部分は撮影対象範囲１００内の画像１０１以外の部分であると判定する。
【００２８】
次に、映画画像判定部３は、抽出した画像１０１とそれ以外の撮影対象範囲１００内の部分の境界部分が、映画の画像の輪郭を示す長方形に近似されているときは、その長方形の縦横比が映画の画像の縦横比と一致するかどうかを判定することで画像１０１が映画の画像であるか否かを判定する。
【００２９】
図２は、上記の映画の画像の輪郭の説明図を示す。映画の画像の輪郭は長方形であり、その縦横比は、いくつか存在する画像サイズ規格で定められていることが知られている。図２は、４つの画像サイズ（スタンダード、ヨーロピアン・ビスタ、アメリカン・ビスタ、シネマスコープ）の縦（Ｙ）と横(Ｘ)の比率を示す。従って、スクリーンの輪郭の縦横比（Ｙ：Ｘ）が、これらの４つの画像サイズのいずれかに近似される場合、撮影対象範囲内に映画の画像が存在すると判定することができる。
【００３０】
この判定アルゴリズムについて、図３のフローチャートと共に説明する。映画画像判定部３は、判定を開始すると（ステップＳ１）、まず、画像１０１の輪郭の縦横比（Ｙ：Ｘ）が１：１.２〜１：１.５の範囲内であるかどうかを判定する（ステップＳ２）。縦横比（Ｙ：Ｘ）がこの範囲内であれば、映画画像判定部３は、現在撮影中の画像１０１はスタンダードサイズの映画の画像であると判断し（ステップＳ３）、その範囲内にないときは、縦横比（Ｙ：Ｘ）が１：１.５〜１：１.８の範囲内であるかどうかを判定する（ステップＳ４）。映画画像判定部３は、縦横比（Ｙ：Ｘ）がステップＳ４で判定した範囲内であれば、現在撮影中の画像１０１はヨーロピアン・ビスタサイズの映画の画像であると判断し（ステップＳ５）、その範囲内にないときは、縦横比（Ｙ：Ｘ）が１：１.８〜１：２.０の範囲内であるかどうかを判定する（ステップＳ６）。
【００３１】
映画画像判定部３は、縦横比（Ｙ：Ｘ）がステップＳ６で判定した範囲内であれば、現在撮影中の画像１０１はアメリカン・ビスタサイズの映画の画像であると判断し（ステップＳ７）、その範囲内にないときは、縦横比（Ｙ：Ｘ）が１：２.１〜１：２.５の範囲内であるかどうかを判定する（ステップＳ８）。映画画像判定部３は、縦横比（Ｙ：Ｘ）がステップＳ８で判定した範囲内であれば、現在撮影中の画像１０１はシネマスコープサイズの映画の画像であると判断する（ステップＳ９）。そして、映画画像判定部３は、ステップＳ３、Ｓ５、Ｓ７、Ｓ９のいずれかにより、現在撮影中の画像１０１を映画の画像であると判断したときは、入力画像信号に映画の画像が含まれていると判定し（ステップＳ１０）、ステップＳ８で縦横比（Ｙ：Ｘ）が１：２.１〜１：２.５の範囲内にないと判定したときは、図２に示した４つの画像サイズのいずれでもないので、画像１０１は映画の画像ではないと判定する（ステップＳ１１）。
【００３２】
なお、各画像サイズは、厳密には小数点以下２桁までその比率が規定されているが、本実施の形態では画像を読み取る際の丸め誤差が存在することを考慮して、判定比率に幅を持たせることにより検出精度を向上させている。
【００３３】
映画画像判定部３は、以上の判定アルゴリズムにより、現在撮像している画像を映画フィルムの画像であると判断した場合、著作権保護の処理を行うために切り替えスイッチ４及び７をそれぞれ端子Ｂ側に切り替える。これにより、切り替えスイッチ４は、カメラ信号処理部２から出力された画像信号を著作権保護有りエンコード部６に供給する。また、切り替えスイッチ７は、著作権保護有りエンコード部６から出力されたエンコード済みの画像信号を記録制御部８に供給する。
【００３４】
著作権保護有りエンコード部６は、カメラ信号処理部２から出力された画像信号に対して、例えばＣＰＲＭ規格に従ったエンコード処理を行い、得られたエンコード済みの映画画像が含まれる画像信号を、切り替えスイッチ７を通して記録制御部８に供給する。記録制御部８は入力された映画画像が含まれる画像信号をＣＰＲＭ規格に従って記録媒体９に記録する。
【００３５】
ＣＰＲＭ規格自体は公知であるのでその詳細な説明は省略するが、記録媒体９がＤＶＤの場合、記録制御部８は予め定めたコピー回数を示すコピー制御情報(CCI:Copy Control Information)と、記録するＤＶＤから取得したＤＶＤの所定の領域に予め記録されている、そのＤＶＤ固有の識別情報などを用いてコンテンツキーを生成し、そのコンテンツキーで画像信号を暗号化して記録媒体（ここではＤＶＤ）９に、ＣＰＲＭ対応信号であることを示す識別子(フラグの一種)と共にＤＶＤのデータ領域に記録する。ここでは、ＣＣＩは記録媒体９への画像信号の記録は１回のみを示している。これにより、記録媒体９に記録された映画画像（すなわち盗撮された映画の画像）が含まれる画像信号は他の記録媒体への複写記録が禁止される。
【００３６】
記録媒体９がＤＶＤのような撮像装置１から取り外して他のレコーダにより、その記録画像信号を複写記録できるような、着脱自在な可搬型記録媒体の場合は、記録媒体９の記録画像信号が他の記録媒体に複写記録される可能性がある。しかし、ＣＰＲＭ規格で記録された記録媒体９から暗号化された画像信号を再生して復号するには、復号に必要なコンテンツキーを得る必要がある。このコンテンツキーを得るには、ＣＣＩと共に記録媒体９に固有の識別情報を取得する必要があるため、たとえ記録媒体９の記録画像信号が忠実に他の記録媒体に複写記録されたとしても、他の記録媒体の固有の識別情報が記録媒体９に固有の識別情報と異なるために、復号のためのコンテンツキーが得られず、そのため複写記録された画像信号を復号することができない。これにより、著作権の保護を図ることができる。
【００３７】
なお、映画画像判定部３は、現在撮像している画像１０１が映画の画像ではないと判断した場合、切り替えスイッチ４及び７をそれぞれ端子Ａ側に切り替える。これにより、切り替えスイッチ４は、カメラ信号処理部２から出力された画像信号を著作権保護無しエンコード部５に供給する。また、切り替えスイッチ７は、著作権保護無しエンコード部５から出力されたエンコード済みの画像信号を記録制御部８に供給する。
【００３８】
著作権保護無しエンコード部７は、カメラ信号処理部２から出力された画像信号に対して公知のエンコード処理を行い、得られたエンコード済みの画像信号を、切り替えスイッチ７を通して記録制御部８に供給する。記録制御部８は入力された画像信号を記録媒体９に記録する。
【００３９】
以上の手順により、撮影対象範囲１００の画像１０１が映画の画像であった場合のみ、著作権保護有りのエンコード処理された信号を記録媒体９に記録することができる。
【００４０】
次に、記録媒体９に記録された信号を再生する場合について説明する。記録媒体９から読み出された信号は、信号デコード再生部１０及び著作権保護有無検出部１１に供給される。ここで、記録媒体９に記録されている画像信号が、ＣＰＲＭ規格に従い暗号化されて記録されている映画の画像を含む画像信号であっても、記録媒体９はオリジナルの記録媒体であるので、信号デコード再生部１０は復号のためのコンテンツキーを正常に生成することができ、その結果、暗号化された映画の画像を含む画像信号を正常に復号することができる。
【００４１】
勿論、信号デコード再生部１０は記録媒体９に記録されている画像信号が著作権保護無しエンコード部５によりエンコードされた画像信号も、正常に再生することができる。信号出力部１２は、信号デコード再生部１０から復号再生されて取り出された画像信号に対して所定の処理を行って信号出力可否選択スイッチ１３の端子Ｂへ出力する。
【００４２】
一方、著作権保護有無検出部１１は記録媒体９から読み出された信号にＣＰＲＭ対応データであることを示す識別子が含まれているかどうかを検出し、識別子が含まれていることを検出した場合は著作権保護有りと判定して信号出力可否選択スイッチ１３を端子Ａ側に切り替える。端子Ａは何のブロックも接続されていない空端子であるので、これにより撮像装置１は外部インターフェース１４へは何も信号を出力しない状態となる。この結果、記録媒体９から再生された映画の画像を含む画像信号が外部へ出力されて表示されたり、他の記録媒体に複写記録されることはなく、著作権保護を実現できる。
【００４３】
また、著作権保護有無検出部１１は、記録媒体９から読み出された信号にＣＰＲＭ対応データであることを示す識別子が含まれていないことを検出した場合は著作権保護無しと判定して信号出力可否選択スイッチ１３を端子Ｂ側に切り替える。この処理によって信号デコード再生部１０で、デコードされた再生画像信号が、信号出力部１２及び信号出力可否選択スイッチ１３をそれぞれ介して外部インターフェース１４に供給され、外部へ出力することが可能となる。
【００４４】
以上の処理によって、本実施の形態の撮像装置１によれば、著作権保護有りの記録画像信号は外部出力不可能となり、著作権保護無しの記録画像信号は外部出力可能とすることができる。
【００４５】
このように、本実施の形態の撮像装置１によれば、撮像信号の撮影対象範囲内に映画の画像が存在するか否かを自動判別して、映画の画像が存在するときは、その撮像画像信号に対して著作権保護のための信号処理を行って記録媒体９に記録するようにしたため、コピープロテクション情報の挿入されていない既存の映画フィルムの画像信号を記録媒体９に記録した場合であっても、その記録媒体９の再生画像信号を他の記録媒体に複製して映像の著作権者に無断で海賊版映像ソフトウェアとして流布されることを防ぐことができ、より多くの不法複製行為を防ぐことができる。
【００４６】
なお、本発明は以上の実施の形態に限定されるものではなく、例えば著作権保護のための規格はＣＰＲＭ規格に限定されるものではなく、その他の公知の規格も使用可能である。
【００４７】
また、映画を盗撮した画像の複写記録を防止するためには、上記の実施の形態とは異なり、映画画像判定部３が映画の画像を含んでいると判定した画像信号の記録媒体９への記録を強制的に停止したり、警告表示を行うことも考えられる。しかし、本発明の対象となる撮像装置は、カムコーダー等の撮像画像信号の記録再生機能を備えた撮像装置であるため、上記の実施の形態のように、如何なる画像を撮像した場合でも、取り敢えずは記録媒体に撮像した画像信号を記録することが撮像装置本来の機能を活かし、またユーザに違和感を与えないので望ましい。
【符号の説明】
【００４８】
１  撮像装置
２  カメラ信号処理部
３  映画画像判定部
４、７  切り替えスイッチ
５  著作権保護無しエンコード部
６  著作権保護有りエンコード部
８  記録制御部
９  記録媒体
１０  信号デコード再生部
１１  著作権保護有無検出部
１２  信号出力部
１３  信号出力可否選択スイッチ
１４  外部インターフェース
【図１】
2010206587.tif 000003
【図２】
2010206587.tif 000004
【図３】
2010206587.tif 000005